(57)【要約】  充電池１１への充電を行う充電回路１２と、電波を受信するアンテナ１３と、アンテナ１３における電波の受信状態を検出する無線送受信回路１４と、充電池１１に充電が行われていない状態で無線送受信回路１４にて検出された受信状態と、充電池１１への充電中に無線送受信回路１４にて検出された受信状態とに基づいて、充電回路１２による充電池１１への充電を制御するベースバンド制御回路１６とを有する。
2012157337.tif 000002
【特許請求の範囲】
【請求項１】
充電池への充電を行う充電手段と、
電波を受信する電波受信手段と、
前記電波受信手段における電波の受信状態を検出する受信状態検出手段と、
前記充電池に充電が行われていない状態で前記受信状態検出手段にて検出された受信状態と、前記充電池への充電中に前記受信状態検出手段にて検出された受信状態とに基づいて、前記充電手段による前記充電池への充電を制御する制御手段とを有する処理装置。
【請求項２】
請求項１に記載の処理装置において、
前記受信状態検出手段は、前記充電池に充電が行われていない状態における前記受信手段における電波の受信感度となる第１の受信感度と、前記充電池への充電中における前記電波受信手段における電波の受信感度となる第２の受信感度とを検出し、
前記制御手段は、前記第１の受信感度と前記第２の受信感度との差が予め決められた第１の値以上であり、かつ、前記第２の受信感度が予め決められた第２の値以下である場合に、前記充電手段による前記充電池への充電が停止するように制御する処理装置。
【請求項３】
請求項２に記載の処理装置において、
前記制御手段は、前記充電手段による前記充電池への充電の停止後、所定時間が経過した場合、または前記電波受信手段にて受信する電波の周波数帯域が変化した場合、または前記処理装置にて使用するチャネルが変わった場合、前記充電手段による前記充電池への充電が開始されるように制御する処理装置。
【請求項４】
請求項１乃至３のいずれか１項に記載の処理装置において、
前記制御手段は、前記充電池の充電量が予め決められた量よりも大きな場合、前記充電手段による前記充電池への充電を開始しないように制御する処理装置。
【請求項５】
処理装置と充電器とを有する充電システムであって、
前記処理装置は、
前記充電器から供給される電力を用いて充電池への充電を行う充電手段と、
電波を受信する電波受信手段と、
前記電波受信手段における電波の受信状態を検出する受信状態検出手段と、
前記充電池に充電が行われていない状態で前記受信状態検出手段にて検出された受信状態と、前記充電池への充電中に前記受信状態検出手段にて検出された受信状態とに基づいて、前記充電池への充電を制御するための制御信号を前記充電器に出力する第１の制御手段とを有し、
前記充電器は、
前記処理装置に電力を供給する電力供給手段と、
前記制御手段から出力された制御信号に応じて前記電力供給手段における前記処理装置への電力の供給を制御する第２の制御手段とを有する充電システム。
【請求項６】
充電池を具備する処理装置おける充電方法であって、
前記処理装置が、前記充電池に充電が行われていない状態における電波の受信状態を検出する第１の受信状態検出処理と、
前記処理装置が、前記充電池への充電中における電波の受信状態を検出する第２の受信状態検出処理と、
前記処理装置が、前記第１の受信状態検出処理と前記第２の受信状態検出処理にてそれぞれ検出された受信状態に基づいて、前記充電池への充電を制御する充電制御処理とを有する充電方法。
【請求項７】
充電池を具備する処理装置に、
前記充電池に充電が行われていない状態における電波の受信状態を検出する第１の受信状態検出手順と、
前記充電池への充電中における電波の受信状態を検出する第２の受信状態検出手順と、
前記第１の受信状態検出手順と前記第２の受信状態検出手順にてそれぞれ検出された受信状態に基づいて、前記充電池への充電を制御する充電制御手順とを実行させるためのプログラム。
【発明の詳細な説明】
【技術分野】
【０００１】
本発明は、充電池を具備して電波を受信する動作を行う処理装置に関する。
【背景技術】
【０００２】
現在、携帯電話端末は、充電中においても通信を行うことができるものが一般的となっている。例えば、近年、ＷＰＣ（ワイヤレスパワーコンソーシアム）等の国際団体による無接点充電方式等で５Ｗ以上の携帯電話端末も充電できる無接点充電システムが施行されるようになっている。【０００３】
ところが、このように充電中においても通信を行う携帯電話端末等の処理装置においては、充電中において充電器から発生するノイズが原因となって受信感度が劣化し、その受信、通話の品質が低下するという不具合が生じてしまう。特に、地下室や基地局アンテナから遠い地域等、電界強度が弱い環境においては、その影響が大きく、通信サービスを優先すべき携帯電話端末において、充電中に着信ができなくなるという不具合が生じてしまう。【０００４】
ところで、上述したような携帯電話端末を充電しながら待受け受信または通信する場合における受信感度の劣化の影響度合いは、通信システムの周波数帯域や、電界強度環境によっても大きく異なるものである。また、その影響度合いがある一定レベル以上にならなければ着信動作や通信動作を致命的に阻害する問題までには至らない。すなわち、ほとんどの場合は、受信感度が劣化するものの着信動作や通信動作を致命的に阻害することはない場合が多い。ただし、着信動作や通信動作を致命的に阻害する場合においては、通信サービスを優先すべき携帯電話端末においては、充電器から発生するノイズによる受信感度劣化は回避すべきである。【０００５】
ここで、携帯無線機が受信動作中においては充電動作を停止する技術が考えられている（例えば、特許文献１参照。）。この技術を用いることで、受信動作中にその品質が充電動作によって低下することを回避できるようになる。
【先行技術文献】
【特許文献】
【０００６】
【特許文献１】特開２００８−１３１８１２号公報
【発明の概要】
【発明が解決しようとする課題】
【０００７】
しかしながら、携帯電話端末で多く利用されているリチウムイオン電池は、上述したように、携帯無線機が受信動作中においては充電動作を停止する等というように、短い周期で繰り返し充電を行った場合、電池の充放電サイクル劣化が原因となって電池の使用寿命を短くさせてしまうという問題点がある。【０００８】
本発明は、上述したような技術が有する問題点に鑑みてなされたものであって、充電池を具備して電波を受信する動作を行う処理装置において、充電池の使用寿命が短くなるという弊害を抑制しながらも、充電が原因となる受信、通話の品質の低下を回避することができる処理装置、充電システム、充電方法及びプログラムを提供することを目的とする。
【課題を解決するための手段】
【０００９】
上記目的を達成するために本発明は、
充電池への充電を行う充電手段と、
電波を受信する電波受信手段と、
前記電波受信手段における電波の受信状態を検出する受信状態検出手段と、
前記充電池に充電が行われていない状態で前記受信状態検出手段にて検出された受信状態と、前記充電池への充電中に前記受信状態検出手段にて検出された受信状態とに基づいて、前記充電手段による前記充電池への充電を制御する制御手段とを有する。【００１０】
また、処理装置と充電器とを有する充電システムであって、
前記処理装置は、
前記充電器から供給される電力を用いて充電池への充電を行う充電手段と、
電波を受信する電波受信手段と、
前記電波受信手段における電波の受信状態を検出する受信状態検出手段と、
前記充電池に充電が行われていない状態で前記受信状態検出手段にて検出された受信状態と、前記充電池への充電中に前記受信状態検出手段にて検出された受信状態とに基づいて、前記充電池への充電を制御するための制御信号を前記充電器に出力する第１の制御手段とを有し、
前記充電器は、
前記処理装置に電力を供給する電力供給手段と、
前記制御手段から出力された制御信号に応じて前記電力供給手段における前記処理装置への電力の供給を制御する第２の制御手段とを有する。【００１１】
また、充電池を具備する処理装置おける充電方法であって、
前記処理装置が、前記充電池に充電が行われていない状態における電波の受信状態を検出する第１の受信状態検出処理と、
前記処理装置が、前記充電池への充電中における電波の受信状態を検出する第２の受信状態検出処理と、
前記処理装置が、前記第１の受信状態検出処理と前記第２の受信状態検出処理にてそれぞれ検出された受信状態に基づいて、前記充電池への充電を制御する充電制御処理とを有する。【００１２】
また、充電池を具備する処理装置に実行させるプログラムであって、
前記充電池に充電が行われていない状態における電波の受信状態を検出する第１の受信状態検出手順と、
前記充電池への充電中における電波の受信状態を検出する第２の受信状態検出手順と、
前記第１の受信状態検出手順と前記第２の受信状態検出手順にてそれぞれ検出された受信状態に基づいて、前記充電池への充電を制御する充電制御手順とを実行させる。
【発明の効果】
【００１３】
本発明は、以上説明したように構成されているので、充電池に対する充電が原因となる受信、通話の品質の低下を回避することができ、その際、充電池の使用寿命が短くなるという弊害を抑制することができる。
【図面の簡単な説明】
【００１４】
【図１】本発明の処理装置を用いた充電システムの概要を示す図である。
【図２】図１に示した充電システムの実施の一形態を示す図である。
【図３】図２に示した充電システムにおける携帯電話端末の充電方法の実施の一形態を説明するためのフローチャートである。
【図４】図２に示した充電システムにおける携帯電話端末の充電方法の他の実施の形態を説明するためのフローチャートである。
【発明を実施するための形態】
【００１５】
以下に、本発明の実施の形態について図面を参照して説明する。
【００１６】
図１は、本発明の処理装置を用いた充電システムの概要を示す図である。
【００１７】
本発明の充電システムは図１に示すように、処理装置である携帯電話端末１と充電器２とから構成されている。携帯電話端末１は、充電池１１と、充電手段となる充電回路１２と、電波受信手段となるアンテナ１３と、受信状態検出手段となる無線送受信回路１４と、第１の制御手段となるベースバンドホスト制御回路１５とを有している。また、充電器２は、電力供給手段となる電力供給部２１と、第２の制御手段となるホスト制御回路２２とを有している。
【００１８】
上記のように構成された充電システムにおいては、充電器２から供給される電力で携帯電話端末１の充電池１１の充電が行われることになる。
【００１９】
携帯電話端末１においては、アンテナ１３にて電波を受信している。そして、無線送受信回路１４において、アンテナ１３における電波の受信状態を検出する。充電回路１２は、充電器２から供給された電力を用いて充電地１１に充電を行うが、その制御はベースバンドホスト制御回路１５が行う。ベースバンドホスト制御回路１５は、充電池１１に充電が行われていない状態で無線送受信回路１４にて検出された受信状態と、充電池１１への充電中に無線送受信回路１４にて検出された受信状態とに基づいて、充電回路１２による充電池１１への充電を制御する。
【００２０】
充電器２においては、電力供給部２１から携帯電話端末１に充電池１１に充電を行うための電力を供給するが、その制御はホスト制御回路２２が行う。
【００２１】
以下に、上記のように構成された充電システムについて具体的な例を挙げて説明する。
【００２２】
図２は、図１に示した充電システムの実施の一形態を示す図である。
【００２３】
本形態は図２に示すように、電波を受信して動作を行う携帯電話端末１０と、携帯電話端末１０の充電を行う充電器２０とから構成されている。
【００２４】
携帯電話端末１０は、充電池１１と、充電回路１２と、電波受信手段となるアンテナ１３と、受信状態検出手段となる無線送受信回路１４と、第１の制御手段となるベースバンドホスト制御回路１５と、電源制御回路１６と、受電回路１７と、受電／信号送信用コイル１８とから構成されている。
【００２５】
充電回路１２は、充電器２０から供給された電力を用いて充電池１１への充電を行う。
【００２６】
アンテナ１３は、電波を送受信する。
【００２７】
無線送受信回路１４は、携帯電話端末１０の動作に用いる信号をアンテナ１３を介して電波で送受信し、また、アンテナ１３における電波の受信状態となる受信感度を検出し、受信感度値をベースバンドホスト制御回路１５に出力する。
【００２８】
ベースバンドホスト制御回路１５は、充電池１１に充電が行われていない状態で無線送受信回路１４にて検出された第１の受信感度と、充電池１１への充電中に無線送受信回路１４にて検出された第２の受信感度とに基づいて、充電回路１２による充電池１１への充電を制御する。具体的には、ベースバンドホスト制御回路１５は、無線送受信回路１４にて検出されて出力された第１の受信感度と第２の受信感度との差が予め決められた第１の値以上であり、かつ、無線送受信回路１４にて検出されて出力された第２の受信感度が予め決められた第２の値以下である場合に、充電池１１への充電を制御するための充電器制御信号を受電回路１７及び受電／信号送信用コイル１８を介して充電器２０に出力する。また、ベースバンドホスト制御回路１５は、充電回路１２による充電池１１への充電の停止後、所定時間が経過した場合、またはアンテナ１３にて受信する電波の周波数帯域が変化した場合、または携帯電話端末１０にて使用するチャネルが変わった場合、充電回路による充電池１１への充電が開始されるように、充電器制御信号を受電回路１７及び受電／信号送信用コイル１８を介して充電器２０に出力する。また、ベースバンドホスト制御回路１５は、充電池１１の充電量が予め決められた量よりも大きな場合、充電器制御信号を充電器２０に出力しないことで、充電回路１２による充電池１１への充電を開始しないように制御する。
【００２９】
電源制御回路１６は、充電池１１に充電された電力を電源として無線送受信回路１４及びベースバンドホスト制御回路１５に供給する。
【００３０】
受電回路１７は、充電器２０から供給された電力を受電／信号送信用コイル１８を介して受け取り、その電力を充電回路１２に与える。
【００３１】
充電器２０は、電力供給手段となる送電回路２３と、第２の制御手段となるホスト制御回路２２と、ＡＣ／ＤＣ電源制御回路２４と、送電／信号受信用コイル２５と、プラグ２６とから構成されている。
【００３２】
ＡＣ／ＤＣ電源制御回路２４は、コンセントに差し込まれたプラグ２６から供給されてくる交流電源を直流電源に変換してホスト制御回路２２及び送電回路２３に供給する。
【００３３】
送電回路２３は、ＡＣ／ＤＣ電源制御回路２４から供給された直流電源による電力を送電／信号受信用コイル２５を介して携帯電話端末１０に供給する。
【００３４】
ホスト制御回路２２は、携帯電話端末１０のベースバンドホスト制御回路１５から出力された充電器制御信号に応じて送電回路２３からの携帯電話端末１０への電力の供給を制御する。
【００３５】
以下に、上記のように構成された充電システムにおける携帯電話端末１０の充電方法について説明する。
【００３６】
図３は、図２に示した充電システムにおける携帯電話端末１０の充電方法の実施の一形態を説明するためのフローチャートである。
【００３７】
携帯電話端末１０が充電器２０上に置かれていない非充電状態から（ステップ１）、充電器２０上に置かれ、携帯電話端末１０が充電器２０上に置かれたことを判断すると（ステップ２）、まず、ベースバンドホスト制御回路１５は、充電器２０からの電力の送電を一時停止させるための充電器制御信号を出力する。なお、携帯電話端末１０が充電器２０上に置かれたと判断することは、例えば、携帯電話端末１０と充電器２０との通電の検出を用いることが考えられる。本形態のように、充電器２０からの携帯電話端末１０への電力の供給が、受電／信号送信用コイル１８及び送電／信号受信用コイル２５を介した無接点充電であるものにおいては、充電器２０から供給された電力が受電／信号送信用コイル１８を介して携帯電話端末１０にて受電された場合に、携帯電話端末１０が充電器２０上に置かれたと判断することが考えられる。また、物理的な手段によって、携帯電話端末１０が充電器２０上に置かれたことを判断してもよい。
【００３８】
ベースバンドホスト制御回路１５から充電器制御信号が出力されると、受電回路１７が、ベースバンドホスト制御回路１５から出力された充電器制御信号を受電／信号送信用コイル１８を介して充電器２０に送信する。
【００３９】
携帯電話端末１０から充電器２０に送信された充電器制御信号は、充電器２０の送電／信号受信用コイル２５を介してホスト制御回路２２にて受信される。
【００４０】
すると、ホスト制御回路２２は、受信した充電器制御信号に従って、送電回路２３からの携帯電話端末１０に対する電力の供給を停止させる。それにより、携帯電話端末１０は充電器２０の上に置かれているものの、充電池１１に対して充電が行われていない非充電状態となる。
【００４１】
この非充電状態において、携帯電話端末１０は、第１の受信状態検出処理として、アンテナ１３にて受信される電波の受信感度を無線送受信回路１４にて検出する。そして、無線送受信回路１４は、検出した電波の受信感度データをベースバンドホスト制御回路１５に送り、ベースバンドホスト制御回路１５にて非充電時感度値として記憶しておく（ステップ３）。
【００４２】
その後、携帯電話端末１０は、充電池１１に充電を行うため、充電器２０からの電力の送電を許可する充電器制御信号をベースバンドホスト制御回路１５から出力する。
【００４３】
ベースバンドホスト制御回路１５から充電器制御信号が出力されると、受電回路１７が、ベースバンドホスト制御回路１５から出力された充電器制御信号を受電／信号送信用コイル１８を介して充電器２０に送信する。
【００４４】
携帯電話端末１０から充電器２０に送信された充電器制御信号は、充電器２０の送電／信号受信用コイル２５を介してホスト制御回路２２にて受信される。
【００４５】
すると、ホスト制御回路２２は、受信した充電器制御信号に従って、送電回路２３からの携帯電話端末１０に対する電力の供給を開始し、この電力が送電／信号受信用コイル２５及び受電／信号送信用コイル１８を介して受電回路１７にて受電される。そして、充電回路１２が、受電回路１７にて受電された電力を用いて充電地１１に試し充電を開始する（ステップ４）。これにより、充電池１１に対して充電が行われている充電状態となる。
【００４６】
この充電状態において、携帯電話端末１０は、第２の受信状態検出処理として、アンテナ１３にて受信される電波の受信感度を無線送受信回路１４にて検出する。そして、無線送受信回路１４は、検出した電波の受信感度データをベースバンドホスト制御回路１５に送り、ベースバンドホスト制御回路１５にて充電時感度値として記憶する（ステップ５）。
【００４７】
ベースバンドホスト制御回路１５は、この充電時感度値とステップ３にて記憶した非充電時感度値とを用いて、下記式に基づいて感度劣化値Ｄを計算する（ステップ６）。
【００４８】
感度劣化値Ｄ＝（非充電時感度値）−（充電時感度値）
そして、ベースバンドホスト制御回路１５は、計算した感度劣化値Ｄが予め決められた第１の値となるＤ１dB以上であるかどうかを判断する（ステップ７）。
【００４９】
また、感度劣化値ＤがＤ１dB以上である場合は、ベースバンドホスト制御回路１５は、充電による感度劣化の影響ありと判断するが、さらに、ステップ５にて記憶した充電時感度値が予め決められた第２の値であるＦ１dBｍ以下であるかどうかを判断する（ステップ８）。
【００５０】
そして、充電感時度値がＦ１dBｍ以下であった場合は、ベースバンドホスト制御回路１５は、充電器２０から発生するノイズが原因となって受信感度が劣化し、その受信、通話が阻害される不具合が発生すると判断し、充電器２０からの電力の送電を停止させるための充電器制御信号を出力する。
【００５１】
ベースバンドホスト制御回路１５から充電器制御信号が出力されると、受電回路１７が、ベースバンドホスト制御回路１５から出力された充電器制御信号を受電／信号送信用コイル１８を介して充電器２０に送信する。
【００５２】
携帯電話端末１０から充電器２０に送信された充電器制御信号は、充電器２０の送電／信号受信用コイル２５を介してホスト制御回路２２にて受信される。
【００５３】
すると、ホスト制御回路２２は、受信した充電器制御信号に従って、送電回路２３からの携帯電話端末１０に対する電力の供給を停止させる。それにより、携帯電話端末１０は充電器２０の上に置かれているものの、充電池１１に対する充電停止状態となり（ステップ９）、充電器２０から発生するノイズが抑制される。
【００５４】
その後、携帯電話端末１０は、一定時間が経過するか、または、通信システム周波数帯域に変化してアンテナ１３にて受信する電波の周波数帯域が変化するか、または、携帯電話端末１０の使用状態に応じて使用するチャネルが変わるまで、この充電停止状態を維持する（ステップ１０）。なお、上述した一定時間においては、この一定時間が周期的に繰り返されても充電池１１の充放電サイクル劣化に影響がないほど長い時間間隔とする。
【００５５】
充電池１１に対する充電停止状態となった後、一定時間が経過するか、または、通信システム周波数帯域に変化してアンテナ１３にて受信する電波の周波数帯域が変化するか、または、携帯電話端末１０の使用状態に応じて使用するチャネルが変わった場合は、充電器２０から発生するノイズによる受信感度の劣化の影響を再評価するため、ステップ３における処理に戻る。
【００５６】
また、ステップ７における判断において感度劣化値ＤがＤ１dB未満であった場合は、ベースバンドホスト制御回路１５は、充電器２０から発生するノイズが原因となる受信感度の劣化の影響はないと判断し、充電器２０からの電力の送電を停止させるための充電器制御信号を出力することはせず、それにより、充電回路１２は、充電池１１に対する充電を継続して行う（ステップ１１）。
【００５７】
また、ステップ８における判断において充電感時度値がＦ１dBｍを超えていた場合は、ベースバンドホスト制御回路１５は、充電器２０から発生するノイズが原因となる受信感度の劣化の影響はあるものの、電波環境が中強電界の環境であるため、携帯電話端末１０の受信、通話が阻害される不具合は発生しないと判断し、充電器２０からの電力の送電を停止させるための充電器制御信号を出力することはせず、それにより、充電回路１２は、ステップ１１にて充電池１１に対する充電を継続して行う。
【００５８】
その後、携帯電話端末１０は、一定時間が経過するか、または、通信システム周波数帯域に変化してアンテナ１３にて受信する電波の周波数帯域が変化するか、または、携帯電話端末１０の使用状態に応じて使用するチャネルが変わるまで（ステップ１２）、ベースバンドホスト制御回路１５が、ステップ５，８における処理と同様に、無線送受信回路１４にて検出された充電時の受信感度値を取得し（ステップ１３）、その充電時の受信感度値がＦ１dBｍ以下であるかどうかを判断する（ステップ１４）。
【００５９】
そして、充電感時度値がＦ１dBｍを超えている場合は、充電器２０から電力が引き続き供給され、充電池１１に対する充電が継続される。
【００６０】
また、ステップ１１にて充電池１１に対する充電が継続して行われている状態において、一定時間が経過するか、または、通信システム周波数帯域に変化してアンテナ１３にて受信する電波の周波数帯域が変化するか、または、携帯電話端末１０の使用状態に応じて使用するチャネルが変わった場合や、充電感時度値がＦ１dBｍ以下であった場合は、ステップ９における処理と同様に、ベースバンドホスト制御回路１５が、充電器２０からの電力の送電を停止させるための充電器制御信号を出力し、これに応じて、送電回路２３からの携帯電話端末１０に対する電力の供給が停止し、充電池１１に対する充電停止状態となる（ステップ１５）。そして、充電器２０から発生するノイズが原因となる受信感度の劣化の影響を再評価するため、ステップ３における処理に戻る。
【００６１】
本形態における携帯電話端末１０は、以上説明したように充電器２０による充電を行うため、充電動作のノイズによって着信動作や通信動作を致命的に阻害する状況を的確に判断することができ、その場合においてのみ、受信感度劣化による着信動作や通信動作に対する致命的問題を解決することができる。また、充電池１１の充放電サイクル劣化による充電池１１の使用寿命を短くさせてしまうことを回避することができる。
【００６２】
（他の実施の形態）
図４は、図２に示した充電システムにおける携帯電話端末１０の充電方法の他の実施の形態を説明するためのフローチャートである。
【００６３】
本形態における充電方法は、上述した実施の形態にて示したものに対して、上述した充電制御を行う前に、充電池１１の充電量を確認し、その充電量が予め決められた量よりも大きな場合に充電制御を行わないようにする点が異なるものである。
【００６４】
本形態においては、携帯電話端末１０が非充電状態にて充電器２０上に置かれた後（ステップ２１，２２）、ベースバンドホスト回路１５が、充電池１１の充電量を確認し（ステップ２３）、その充電量が予め決められた量以下である場合にのみ、図３に示したステップ３〜１５と同様の充電制御を行う（ステップ２４〜３６）。
【００６５】
このように、充電池１１の充電量が予め決められた量以下である場合にのみ充電制御を行うことにより、充電状態／非充電状態の切り替え回数を削減し、充電池１１の寿命が短くなってしまうことをさらに回避することができる。
【００６６】
また、上述した実施の形態においては、充電器２０から供給された電力が、送電／信号受信用コイル２５及び受電／信号送信用コイル１８を介して携帯電話端末１０にて受電される無接点充電方式による充電池１１への充電を例に挙げて説明したが、接点方式で充電池１１に充電を行うシステムであっても、携帯電話端末１０から充電器２０による充電状態を制御できるものであれば、本発明を適用することができる。
【００６７】
なお、上述したような充電システムは、例えば、ＷＰＣに準拠した無接点充電台（トランスミッタ）と無接点充電に対応した携帯端末（レシーバ）からなる無接点充電システムでの携帯電話端末の感度劣化対策に利用することができる。
【００６８】
また、本発明の処理装置は、電波を受信する動作を行うものであれば、上述したような携帯電話端末に限らず、携帯音楽プレーヤーや携帯ゲーム機、タブレットＰＣやノートＰＣ等であってもよい。
【００６９】
また、本発明においては、携帯電話端末１０内の処理は上述の専用のハードウェアに基づいて実現されるもの以外に、その機能を実現するためのプログラムを携帯電話端末１０にて読取可能な記録媒体に記録し、この記録媒体に記録されたプログラムを携帯電話端末１０に読み込ませ、実行するものであっても良い。携帯電話端末１０にて読取可能な記録媒体とは、ＩＣカードやメモリカード、あるいは、フロッピーディスク（登録商標）、光磁気ディスク、ＤＶＤ、ＣＤ等の移設可能な記録媒体の他、携帯電話端末１０に内蔵されたＨＤＤ等を指す。この記録媒体に記録されたプログラムは、例えば、制御ブロックにて読み込まれ、制御ブロックの制御に基づいて、上述したものと同様の処理が行われる。
【００７０】
以上、実施例を参照して本願発明を説明したが、本願発明は上記実施例に限定されるものではない。本願発明の構成や詳細には、本願発明のスコープ内で当業者が理解し得る様々な変更をすることができる。
【００７１】
この出願は、２０１１年５月１６日に出願された日本出願特願２０１１−１０９３７５を基礎とする優先権を主張し、その開示の全てをここに取り込む。
【図１】
2012157337.tif 000003
【図２】
2012157337.tif 000004
【図３】
2012157337.tif 000005
【図４】
2012157337.tif 000006
【国際調査報告】
2012157337.tif 000007
2012157337.tif 000008
2012157337.tif 000009
2012157337.tif 000010